(57)【要約】【課題】  穂先竿等の仕舞い処理を、それらの穂先竿等を傷つけることなく行える釣り竿を提供する。【解決手段】  元竿２の前後グリップ部５Ａ、５Ｂに、穂先竿１を元竿２に対して平行な姿勢で弾性的に挟み込み保持する縦割り溝５ａ、５ｂを形成し、その割り溝５ａ、５ｂを元竿２の軸線Ｘ方向に沿った状態に形成してある。【選択図】        図１
2006345757.tif 000002
【特許請求の範囲】
【請求項１】
手元側竿体と手先側竿体とを着脱自在に構成するとともに、手元側竿体に、手先側竿体を前記手元側竿体に対して平行な姿勢で弾性的に係止保持する機構を設けてある釣り竿。
【請求項２】
穂先竿と元竿とを着脱自在に構成するとともに、元竿のグリップ部に、穂先竿を前記元竿に対して平行な姿勢で弾性的に挟み込み保持する割り溝を形成してある釣り竿。
【請求項３】
穂先竿と元竿とを着脱自在に構成するとともに、元竿のグリップ部に、穂先竿を前記元竿に対して平行な姿勢で弾性的に挟み込み保持する割り溝を形成し、その割り溝を元竿の軸線方向に沿った状態に形成してある釣り竿。
【請求項４】
穂先竿と元竿とを着脱自在に構成するとともに、元竿のグリップ部に、穂先竿の外周面に装着した釣り糸ガイドを弾性的に挟み込み保持して前記穂先竿を前記元竿に対して平行な姿勢で保持する割り溝を形成し、その割り溝を前記グリップ部の周方向に沿った状態に形成してある釣り竿。
【発明の詳細な説明】
【技術分野】
【０００１】
本発明は、手先側竿体を手元側竿体に対して並継又は印籠継によって着脱自在に構成してある釣り竿に関する。
【背景技術】
【０００２】
手元側竿体としての元竿にグリップが設けてあり、このグリップ部は主として握り易さ、或いは、そのグリップ部を握ってキャスティングする際のキャスティングし易さを考慮して、形成されている（特許文献１参照）。
したがって、グリップ部は手の掌の圧迫感を少なくするための滑らかな曲面を組み合わせた形状に形成されている。
【０００３】
【特許文献１】実登２５４２６１１号（段落番号〔００１２〕、図１、図５）
【発明の開示】
【発明が解決しようとする課題】
【０００４】
しかし、上記したようなグリップ部を備えた釣り竿では、元竿を穂先竿に対して並継式に連結自在に構成されており、釣りを終えた後には、穂先竿を元竿から取り外して仕舞い処理することとなっているので、分離した穂先竿と元竿との互いに傷つくことのないように仕舞うことに苦慮していた。
【０００５】
本発明の目的は、穂先竿等の仕舞い処理を、それらの穂先竿等を傷つけることなく行える釣り竿を提供する点にある。
【課題を解決するための手段】
【０００６】
〔構成〕
請求項１に係る発明の特徴構成は、手元側竿体と手先側竿体とを着脱自在に構成するとともに、手元側竿体に、手先側竿体を前記手元側竿体に対して平行な姿勢で弾性的に係止保持する機構を設けてある点にあり、その作用効果は次の通りである。
【０００７】
〔作用〕
前記した弾性的に係止保持する機構の存在によって、手元側竿体に手先側竿体を係止保持すると、手元側竿体と手先側竿体とを平行な姿勢で抱き合わせ状態にすることができるので、纏まった状態で携行でき、手先側竿体等を傷つけることが少ない。
【０００８】
〔効果〕
このような構成によって、傷つけることの少ない仕舞い処理を行うことができた。
【０００９】
〔構成〕
請求項２に係る発明の特徴構成は、穂先竿と元竿とを着脱自在に構成するとともに、元竿のグリップ部に、穂先竿を前記元竿に対して平行な姿勢で弾性的に挟み込み保持する割り溝を形成してある点にあり、その作用効果は次の通りである。
【００１０】
〔作用〕
元竿の割り溝に穂先竿を挟み込み保持すると、元竿と穂先竿とを平行な姿勢で抱き合わせ状態にすることができるので、纏まった状態で携行でき、穂先竿等を傷つけることが少ない。
【００１１】
〔効果〕
このような構成を採用することによって、傷つけることの少ない仕舞い処理を行うことができた。
しかも、その為に採用した構成としては、グリップ部に割り溝を形成しただけであり、穂先竿を元竿に取り付けるために、グリップ部以外の部分に新たな機構を新設したわけではなく、グリップ部の有効活用ができたのである。
【００１２】
請求項３に係る発明の特徴構成は、穂先竿と元竿とを着脱自在に構成するとともに、元竿のグリップ部に、穂先竿を前記元竿に対して平行な姿勢で弾性的に挟み込み保持する割り溝を形成し、その割り溝を元竿の軸線方向に沿った状態に形成してある点にあり、その作用効果は次の通りである。
【００１３】
〔作用効果〕
つまり、割り溝を元竿の軸線方向に沿った状態で形成してあるので、この割り溝に穂先竿の竿本体部分を挟み込むことによって、穂先竿を元竿に対して平行な状態で保持することができる。したがって、纏まった状態で携行でき、穂先竿等を傷つけることが少ない。
【００１４】
請求項４に係る発明の特徴構成は、穂先竿と元竿とを着脱自在に構成するとともに、元竿のグリップ部に、穂先竿の外周面に装着した釣り糸ガイドを弾性的に挟み込み保持して前記穂先竿を前記元竿に対して平行な姿勢で保持する割り溝を形成し、その割り溝を前記グリップ部の周方向に沿った状態に形成してある点にあり、その作用効果は次の通りである。
【００１５】
〔作用効果〕
つまり、釣り糸ガイドを割り溝に挟み込み固定すると、穂先竿が元竿に対して平行な姿勢で保持できるので、纏まった状態で処理でき、穂先竿等を傷つけることが少ない。
しかも、割り溝に挟み込む対象を釣り糸ガイドに定めたので、穂先竿を元竿に平行に保持するのに支障はなく、かつ、釣り糸ガイド自体がグリップ部に保持されて保護されることとなるので、傷つくことも抑制できる。
【発明を実施するための最良の形態】
【００１６】
〔第１実施形態〕
ルアー竿として使用される釣り竿Ａについて説明する。
釣り竿Ａは、図１に示すように、穂先竿１、元竿２とを夫々糸ガイド３を備えて並継接続式の竿に構成してあり、元竿２の中間部にリールを取り付けるリールシート４を外嵌装着してある。図示していないが、並継接続は、穂先竿１の竿尻端を元竿２の竿先開口端内に挿し込み固定することによって行っている。
【００１７】
各竿１，２は、基本的には、ガラス繊維かカーボン繊維等の強化繊維にエポキシ等の熱硬化性樹脂を含浸させて形成したプリプレグをマンドレルに巻回して筒状に形成した竿素材を焼成して形成される。
【００１８】
図１に示すように、リールシート４の固定フード４Ａより竿先側に前グリップ部５Ａを設けるとともに、リールシート４の可動フード４Ｂより竿尻側に後グリップ部５Ｂを設けてある。この前後グリップ部５Ａ、５Ｂは、竿素材の周面の全面に亘って巡らされて設けてある。
【００１９】
図２及び図３に示すように、前後グリップ部５Ａ、５Ｂの材質は、ＥＶＡ（エチレン酢酸ビニールゴム）であり、前後グリップ部５Ａ、５Ｂに竿体の軸線Ｘに沿った直線状の縦割り溝５ａ、５ｂを形成してある。縦割り溝５ｂは縦割り溝５ａから竿尻端側に延出されている直線上に位置している。グリップ部の材料としては、他のゴム材料、合成樹脂材料又は、コルク等を使用することができる。
したがって、縦割り溝５ａ、５ｂはＥＶＡ自体の弾性変形力によって、閉じ方向に付勢されていることとなる。
【００２０】
以上のような構成になる穂先竿１を元竿２に装着するには、図１（ロ）、及び、図２に示すように、外付けガイド３を下向きにした状態で、竿本体１Ａを前後グリップ部５Ａ、５Ｂの割り溝５ａ、５ｂ内に押込み入り込ませると、グリップ自体の弾性保持力によって穂先竿１はグリップ部５Ａ、５Ｂに保持される。
穂先竿１を元竿２に装着した状態で、穂先竿１と元竿２とが平行な状態となり、両者１，２が一体化される。
【００２１】
〔第２実施形態〕
図４及び図５に示すように、グリップ部５Ａ、５Ｂに設ける割り溝５ａ、５ｂとしては竿の軸線Ｘ方向に沿った状態で縦割り溝として設けたが、この第２実施形態では割り溝５ｃ、５ｄを竿の円周方向に沿って形成し、横割り溝５ｃ、５ｄとする。また、各グリップ部５Ａ、５Ｂ毎の横割り溝５ｃ、５ｄを設ける個数は、複数本設けることとしている。これは、穂先竿１に設けた釣り糸ガイド３の設置間隔に適合させるためである。
【００２２】
上記したように、横割り溝５ｃ、５ｄのうち釣り糸ガイド３の設置間隔に適合した横割り溝５ｃ、５ｄを選定して、穂先竿１の釣り糸ガイド３を前後グリップ部５Ａ、５Ｂの横割り溝５ｃ、５ｄ内に挿入して挟み込み、穂先竿１を元竿２に保持固定する。この状態で、穂先竿１を元竿２に平行にした状態で一体化できる。
【００２３】
〔別実施形態〕
（イ）  上記した実施形態では、元竿２と穂先竿１とでなる釣り竿Ａを示したが、元竿２と穂先竿１以外に二番竿等の中竿を備えたものに釣り竿Ａを構成する。
（ロ）  上記した実施形態では、穂先竿１を元竿２に取り付ける形態を示したが、穂先竿１の代わりに二番竿を取り付けるようにしてもよい。ここに、穂先竿１又は二番竿等を総称して、請求項１に記載した手先側竿体とする。
（ハ）  上記した実施形態では、グリップ部５だけの割り溝を形成して穂先竿１等を取り付ける構成を説明したが、例えば、グリップ部５がリールシート４より竿尻側のみ設けてあるものでは、グリップ部５だけで穂先竿１を支持できないので、リールシート４に割り溝に相当するものを設けてもよい。つまり、図１に示す、固定フードの下向き面に割り溝状のものを設け、穂先竿１を固定フードの割り溝状のものと、後グリップ部５Ｂの割り溝５ｂで穂先竿１を保持する構成を採ってもよい。
ここに、固定フードにおいても割り溝状のものを設けることとしたので、固定フードと後グリップ部５Ｂとに設けた割り溝を総称して、請求項１で記載したように、手先側竿体を前記手元側竿体に対して平行な姿勢で弾性的に係止保持する機構とする。
【図面の簡単な説明】
【００２４】
【図１】第１実施形態を示し、（イ）は穂先竿を元竿に組み付ける前の状態を示す側面図、（ロ）は穂先竿を元竿に組み付けた後の状態を示す側面図
【図２】（イ）は穂先竿を元竿に組み付ける前の状態を示す縦断正面図、（ロ）は穂先竿を元竿に組み付けた後の状態を示す縦断正面図
【図３】グリップ部に設けた縦割り溝を示す斜視図
【図４】第２実施形態を示し、（イ）は穂先竿を元竿に組み付ける前の状態を示す側面図、（ロ）は穂先竿のガイドをグリップ部の横割り溝に取り付け、穂先竿を元竿に組み付けた後の状態を示す側面図
【図５】（イ）は穂先竿を元竿に組み付ける前の状態を示す縦断正面図、（ロ）は穂先竿を元竿に組み付けた後の状態を示す縦断正面図
【図６】グリップ部に設けた横割り溝を示す斜視図
【符号の説明】
【００２５】
１            穂先竿
２            元竿
３            釣り糸ガイド
５            グリップ部
５Ａ          前グリップ部
５Ｂ          後グリップ部
５ａ，５ｂ    縦割り溝
５ｃ，５ｄ    横割り溝
【図１】
2006345757.tif 000003
【図２】
2006345757.tif 000004
【図３】
2006345757.tif 000005
【図４】
2006345757.tif 000006
【図５】
2006345757.tif 000007
【図６】
2006345757.tif 000008